(57)【特許請求の範囲】
【請求項１】
偏平の箱型の筐体と、
前記筐体の正面に取り付けられ、上端及び下端の辺が左端及び右端の辺よりも長い長方形であるディスプレイと、
前記筐体の内部に形成された、前記筐体の背面からバッテリーが収容される第１のバッテリー収容空間及び第２のバッテリー収容空間と、
前記筐体の背面に取り付けられた、前記背面に対して垂直な光軸を有するカメラ、前記第１のバッテリー収容空間に収容されたバッテリーの状態を示す第１のインジケーター、及び、前記第２のバッテリー収容空間に収容されたバッテリーの状態を示す第２のインジケーターと、を含み、
前記カメラの位置は、前記正面の上端と前記ディスプレイの上端との間の領域である上方領域に対向する前記背面の領域内であり、
前記第１のインジケーター及び前記第２のインジケーターの位置は、前記カメラの位置から所定距離以内の領域内であり、
前記第１のバッテリー収容空間及び前記第２のバッテリー収容空間は、前記背面から見て左右方向に並んで配置され、
前記第１のバッテリー収容空間の位置は、前記背面から見て、前記第２のバッテリー収容空間の位置よりも左側の位置にあり、
第１のインジケーター及び第２のインジケーターは、前記背面から見て左右方向に並んで配置され、
前記第１のインジケーターの位置は、前記第２のインジケーターの位置の左側である、
無線通信端末。
【請求項２】
前記第１のインジケーター及び第２のインジケーターは、前記カメラが使用される間、消灯する、
請求項１に記載の無線通信端末。
【請求項３】
前記正面の下端と前記ディスプレイの下端との間の領域である下方領域の上下方向の幅は、前記正面の左端と前記ディスプレイの左端との間の領域である左方領域の左右方向の幅、及び、前記正面の右端と前記ディスプレイの右端との間の領域である右方領域の左右方向の幅の何れよりも広く、
前記第１及び第２のバッテリー収容空間の位置は、前記背面の下端と前記正面の中心点を通り前記正面の上端又は下端と平行な中心線との間の領域である下半領域内であり、
前記第１及び第２のバッテリー収容空間を包含する領域の中心点の位置は、前記正面の中心点を含みかつ左右方向に広がる幅２ｃｍの帯状領域内である、
請求項１又は２に記載の無線通信端末。
【請求項４】
前記第１のバッテリー収容空間の位置は、前記下半領域の左半分の領域内であり、
前記第２のバッテリー収容空間の位置は、前記下半領域の右半分の領域内であり、
前記第１のインジケーターの位置は、前記第２のインジケーターの位置の左側である、
請求項３に記載の無線通信端末。
【発明の詳細な説明】
【技術分野】
【０００１】
本開示は、無線通信端末に関する。
【背景技術】
【０００２】
特許文献１には、開口部が形成された正面を有する偏平な箱型のＡ４サイズの筐体と、この筐体の背面に収容された１つのバッテリーと、筐体の正面の開口部に取り付けられたタッチパネルとを備えた、携帯型の端末が開示されている。
【先行技術文献】
【特許文献】
【０００３】
【特許文献１】特開平１０−２４０４２０号公報
【発明の概要】
【発明が解決しようとする課題】
【０００４】
特許文献１に開示されるような１つのバッテリーを筐体の背面の収容する携帯型の端末は、バッテリーの状態（例えば充電状態）を示すインジケーターを、ユーザが確認しやすいように、一般的に筐体の正面に備える。しかし、例えば２つのバッテリーを筐体の背面に収容する携帯型の端末の場合、インジケーターを筐体の正面に備えると、正面のインジケーターと背面のバッテリーとの位置関係により、ユーザが混乱し得る。この場合、背面にインジケーターを備えることが考えられるが、背面におけるインジケーターの最適な位置の検討は不十分である。
【０００５】
本開示は、バッテリーの状態を示すインジケーターを筐体の背面の適切な位置に備えた無線通信端末の提供を目的とする。
【課題を解決するための手段】
【０００６】
本開示の一態様に係る無線通信端末は、偏平の箱型の筐体と、前記筐体の正面に取り付けられ、上端及び下端の辺が左端及び右端の辺よりも長い長方形であるディスプレイと、前記筐体の内部に形成された、前記筐体の背面からバッテリーが収容される第１のバッテリー収容空間及び第２のバッテリー収容空間と、前記筐体の背面に取り付けられた、前記背面に対して垂直な光軸を有するカメラ、前記第１のバッテリー収容空間に収容されたバッテリーの状態を示す第１のインジケーター、及び、前記第２のバッテリー収容空間に収容されたバッテリーの状態を示す第２のインジケーターと、を含み、前記カメラの位置は、前記正面の上端と前記ディスプレイの上端との間の領域である上方領域に対向する前記背面の領域内であり、前記第１のインジケーター及び前記第２のインジケーターの位置は、前記カメラの位置から所定距離以内の領域内であり、前記第１のバッテリー収容空間及び前記第２のバッテリー収容空間は、前記背面から見て左右方向に並んで配置され、前記第１のバッテリー収容空間の位置は、前記背面から見て、前記第２のバッテリー収容空間の位置よりも左側の位置にあり、第１のインジケーター及び第２のインジケーターは、前記背面から見て左右方向に並んで配置され、前記第１のインジケーターの位置は、前記第２のインジケーターの位置の左側である。
【発明の効果】
【０００７】
本開示によれば、バッテリーの状態を示すインジケーターを筐体の背面の適切な位置に備えた無線通信端末を提供できる。
【図面の簡単な説明】
【０００８】
【図１】一実施の形態に係る無線通信端末の外観例を示す斜視図
【図２】一実施の形態に係る無線通信端末の外観例を示す正面図
【図３】一実施の形態に係る無線通信端末の外観例を示す背面図
【図４】一実施の形態に係る無線通信端末の外観例を示す左側面図
【図５】一実施の形態に係る無線通信端末の外観例を示す右側面図
【図６】一実施の形態に係る無線通信端末の外観例を示す平面図
【図７】一実施の形態に係る無線通信端末の外観例を示す底面図
【発明を実施するための形態】
【０００９】
以下、図面を適宜参照して、本開示の実施の形態について、詳細に説明する。ただし、必要以上に詳細な説明は省略する場合がある。例えば、すでによく知られた事項の詳細説明及び実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の記載の主題を限定することは意図されていない。
【００１０】
（本開示に至る経緯）
携帯型の端末に２つのバッテリーを備えることにより、長時間の動作が可能なる、及び／又は、本体の電源をＯＦＦにせず１つずつバッテリーを交換できる、といったメリットが得られる。筐体の背面に１つのバッテリーを備える端末の場合、筐体の正面にバッテリーの状態を示すインジケーターを取り付けることにより、ユーザは、バッテリーの状態をすぐに確認できる。しかし、筐体の背面に２つのバッテリーを備える端末の場合、筐体の正面に２つのインジケーターを備えると、正面の何れのインジケーターが背面の何れのバッテリーの状態を示しているのかをすぐに把握することが難しくなり、ユーザが混乱するおそれがある。この場合、背面に２つのインジケーターを備えることが考えられる。しかし、背面には、オプション装置及び／又は把持用のストラップなどが装着され得る。よって、インジケーターの位置が不適切であると、オプション装置及び／又は把持用のストラップなどが装着された場合に、ユーザがインジケーターを視認できなくなってしまうおそれがある。
【００１１】
そこで、以下では、バッテリーの状態を示すインジケーターを筐体の背面の適切な位置に備えた無線通信端末について説明する。
【００１２】
（一実施の形態）
図１から図７は、一実施の形態に係る無線通信端末の外観の例を示す図であり、図１が斜視図、図２が正面図、図３が背面図、図４が左側面図、図５が右側面図、図６が平面図、図７が底面図である。
【００１３】
なお、本開示の説明では、図中の、Ｘ軸の正方向を右、Ｘ軸の負方向を左、Ｙ軸の正方向を上、Ｙ軸の負方向を下、Ｚ軸の正方向を手前、Ｚ軸の負方向を奥と表現する場合がある。
【００１４】
無線通信端末１は、電子機器の一例であり、例えば、スマートフォン等の携帯電話、タブレット、デジタルカメラ、携帯型パーソナルコンピュータ、無線機である。本実施の形態では、耐衝撃、耐振動、防滴、防塵等の性能を備え、一般的な端末と比べて重量の大きいタブレット型の無線通信端末１について説明する。無線通信端末１は、工場、工事現場、公共安全業務、輸送業務といった、電子機器にとって厳しい環境での使用が可能である。なお、無線通信端末１は、業務用に限らず、個人用であってもよい。
【００１５】
＜筐体＞
図１から図７に示すように、無線通信端末１の筐体１０は、偏平の箱型であり、筐体１０の手前の面である正面１１、筐体１０の奥の面である背面１２、筐体１０の左側の面である左側面１３、筐体１０の右側の面である右側面１４、筐体１０の上側の面である上面１５、及び、筐体１０の下側の面である底面１６を有する。
【００１６】
正面１１の形状は、図２に示すように、上端及び下端の辺が左端及び右端の辺よりも長く、角を丸めた横長の長方形である。なお、正面１１の形状は、角を丸めた正方形であってもよい。
【００１７】
正面１１の中央には、入力及び表示を兼用するタッチパネル１７が取り付けられる。例えば、タッチパネル１７は、液晶パネル又は有機ＥＬ（Electro Luminescence）パネルといった表示装置と、タッチパッドといった位置入力装置との組み合わせによって構成される。なお、タッチパネル１７を構成する表示装置は、画面、ディスプレイ、モニタといった他の用語に読み替えられてもよい。
【００１８】
タッチパネル１７の形状は、図２に示すように、上端及び下端の辺が左端及び右端の辺よりも長い横長の長方形である。例えば、タッチパネル１７の横と縦の比は、１６対１０である。タッチパネル１７は、当該タッチパネル１７の上端又は下端の辺が正面１１の上端又は下端の辺に対して平行に取り付けられる。タッチパネル１７の対角線の長さは、７インチ以上であり、例えば、７インチ又は１０．１インチである。
【００１９】
背面１２の形状は、図３に示すように、正面１１の形状と同様、上端及び下端の辺が左端及び右端の辺よりも長く、角を丸めた長方形である。なお、正面１１の形状が、角を丸めた正方形である場合、背面１２の形状も、角を丸めた正方形であってよい。
【００２０】
左側面１３の形状は、図４に示すように、正面１１の左端の辺及び背面１２の左端の辺を長辺とし、角を丸めた縦長の長方形である。右側面１４の形状は、図５に示すように、正面１１の右端の辺及び背面１２の右端の辺を長辺とし、角を丸めた縦長の長方形である。
【００２１】
上面１５の形状は、図６に示すように、正面１１の上端の辺及び背面１２の上端の辺を長辺とし、角を丸めた横長の長方形である。底面１６の形状は、図７に示すように、正面１１の下端の辺及び背面１２の下端の辺を長辺とし、角を丸めた横長の長方形である。
【００２２】
本開示の説明では、図３に示すように、正面１１の下端とタッチパネル１７の下端との間の領域を下方領域１０１と称する。正面１１の上端とタッチパネル１７の上端との間の領域を上方領域１０２と称する。正面１１の左端とタッチパネル１７の左端との間の領域を左方領域１０３と称する。正面１１の右端とタッチパネル１７の右端との間の領域を右方領域１０４と称する。
【００２３】
正面１１の中心点１０６を通り、正面１１の上端及び下端の辺と平行な想像上の線を、中心線１０５と称する。正面１１の中心点１０６を含み、かつ、左右方向（Ｘ方向）に幅２ｃｍであって、上下方向（Ｙ方向）に延びる帯状の想像上の領域を、帯状領域１０７と称する。なお、この幅２ｃｍは一例であり、帯状領域１０７の幅は、２ｃｍよりも大きくてもよいし、小さくてもよい。
【００２４】
下方領域１０１の上下方向（Ｙ方向）の幅Ｗ１は、左方領域１０３及び右方領域１０４の左右方向（Ｘ方向）の幅Ｗ２よりも広い。これにより、タッチパネル１７の縦横の比率に比べて、正面１１の縦横の比率が正方形に近づくので、無線通信端末１の重量バランスが安定し、ユーザによる持ち運び及び把持しながらの操作が容易になる。
【００２５】
筐体１０の内部の上面１５、左側面１３及び／又は右側面１４付近には、無線通信用のアンテナが設けられてよい。アンテナは、例えば、Ｗｉ−Ｆｉ（登録商標）、Ｂｌｕｅｔｏｏｔｈ（登録商標）、ＬＴＥ（Long Term Evolution）、４Ｇ（第４世代移動通信システム）及び／又は５Ｇ（第５世代移動通信システム）に基づく無線通信に対応する。
【００２６】
＜カメラ＞
図３に示すように、筐体１０の背面１２には、カメラ２１が取り付けられる。例えば、カメラ２１は、正面１１の上端とタッチパネル１７の上端との間の領域（つまり上方領域１０２）に対向する背面１２の領域に取り付けられる。カメラ２１の光軸は、背面１２に対して垂直である。ユーザは、筐体１０の左右を両手で把持し、背面１２を撮影の対象物に向けることにより、カメラ２１で対象物を撮影できる。
【００２７】
＜第１のボタン＞
図２に示すように、筐体１０の正面１１には、少なくとも１つの第１のボタン２２が取り付けられる。図２では、６個の第１のボタン２２が取り付けられている。例えば、第１のボタン２２は、下方領域１０１に取り付けられる。第１のボタン２２のうちの１つ（例えば最も右の第１のボタン２２）は、無線通信端末１の電源をＯＮ／ＯＦＦするための電源キーであってよい。第１のボタン２２の形状は横長の長方形である。ただし、第１のボタン２２の形状は、長方形に限られず、例えば、正方形、円形又は楕円形であってもよい。
【００２８】
＜第２のボタン＞
図２に示すように、筐体１０の正面１１には、少なくとも１つの第２のボタン２３が取り付けられる。第２のボタン２３は、正面１１の左方領域１０３及び右方領域１０４のうちの少なくとも一方に取り付けられる。図２では、左方領域１０３及び右方領域１０４の両方に第２のボタン２３が取り付けられている。第２のボタン２３の形状は、縦長の長方形である。ただし、第２のボタン２３の形状は、縦長の長方形に限られず、例えば、横長の長方形、正方形、円形又は楕円形であってもよい。
【００２９】
第２のボタン２３のうちの少なくとも１つには、カメラ２１を操作するための機能（例えばシャッター機能）が割り当てられてもよい。左方領域１０３及び右方領域１０４の両方の第２のボタン２３に対して、共通の機能が割り当てられてもよいし、左方領域１０３及び右方領域１０４のそれぞれの第２のボタン２３に対して、互いに異なる機能が割り当てられてもよい。第２のボタン２３に対する機能の割り当ては、ユーザが任意に設定できてもよい。
【００３０】
上述のとおり、筐体１０の正面１１に第２のボタン２３を取り付けることにより、ユーザは、無線通信端末１の筐体１０を左右から掴んだまま、親指で第２のボタン２３を押下できる。すなわち、無線通信端末１を両手で把持したままの操作性が向上する。
【００３１】
＜バッテリー収容空間＞
図３に示すように、無線通信端末１の筐体１０の内部には、バッテリーを収容するための第１のバッテリー収容空間２４Ａ及び第２のバッテリー収容空間２４Ｂが、左右に並べて形成される。本実施の形態では、第１のバッテリー収容空間２４Ａ及び第２のバッテリー収容空間２４Ｂを包含して説明する場合、バッテリー収容空間２４と表現する。バッテリー収容空間２４は、背面１２の下端と中心線１０５との間の領域（以下「下半領域」という）において、当該バッテリー収容空間２４の中心点１０８が、帯状領域１０７内に位置するように形成される。例えば、第１のバッテリー収容空間２４Ａの位置は、下半領域の左半分の領域内であり、第２のバッテリー収容空間２４Ｂの位置は、下半領域の右半分の領域内である。
【００３２】
このように、第１のバッテリー収容空間２４Ａ及び第２のバッテリー収容空間２４Ｂを筐体１０の下方に形成することにより、バッテリー装着時における無線通信端末１の重量バランスが安定し、ユーザによる持ち運び及び把持しながらの操作が容易になる。
【００３３】
＜インジケーター＞
図３に示すように、筐体１０の背面１２には、第１のバッテリー収容空間２４Ａに収容されたバッテリー（以下「第１のバッテリー」という）の状態を示す第１のインジケーター６０Ａ、及び、第２のバッテリー収容空間２４Ｂに収容されたバッテリー（以下「第２のバッテリー」という）の状態を示す第２のインジケーター６０Ｂが取り付けられる。第１のインジケーター６０Ａ及び第２のインジケーター６０Ｂの位置は、カメラ２１の位置から所定距離以内の領域内である。当該所定距離は、例えば、カメラ２１の中心点から１０ｍｍ〜１００ｍｍである。例えば、図３に示すように、第１のインジケーター６０Ａ及び第２のインジケーター６０Ｂの位置は、カメラ２１の位置又はフラッシュ６１の位置の隣である。例えば、無線通信端末１の筐体１０には、持ち運びを容易にするために、ストラップが装着される場合がある。このストラップは、一般的に、カメラ２１を覆わないように構成される。このように、第１のインジケーター６０Ａ及び第２のインジケーター６０Ｂをカメラ２１の中心点から所定距離以内の領域内（つまり近傍）に配置することにより、筐体１０に装着されたストラップによって第１のインジケーター６０Ａ及び第２のインジケーター６０Ｂが覆われてしまうことを回避できる。すなわち、第１のインジケーター６０Ａ及び第２のインジケーター６０Ｂは、筐体１０にストラップが装着された場合であっても、ユーザに対して第１のバッテリー及び第２のバッテリーの状態を示すことができる。
【００３４】
第１のインジケーター６０Ａは、第１のバッテリーの充電量が所定の閾値未満の場合（つまり充電が切れそうな場合）又は第１のバッテリーを充電中の場合に点灯（又は点滅）し、第１のバッテリーの充電量が所定の閾値以上の場合（つまり充電が十分である場合）に消灯する。
【００３５】
第２のインジケーター６０Ｂは、第２のバッテリーの充電量が所定の閾値未満の場合（つまり充電が切れそうな場合）又は第２のバッテリーを充電中の場合に点灯（又は点滅）し、第２のバッテリーの充電量が所定の閾値以上の場合（つまり充電が十分である場合）に消灯する。
【００３６】
第１のインジケーター６０Ａ及び第２のインジケーター６０Ｂは、上記の点灯の条件を満たす場合であっても、カメラ２１が使用される間、消灯する。これにより、第１のインジケーター６０Ａ又は第２のインジケーター６０Ｂの発光がカメラ２１の撮影画像に映り込んでしまうことを防止できる。
【００３７】
第１のバッテリー収容空間２４Ａの位置が、第２のバッテリー収容空間２４Ｂの位置の左側である場合、第１のインジケーター６０Ａの位置は、第２のインジケーター６０Ｂの位置の左側であってよい。これにより、第１のインジケーター６０Ａ及び第２のインジケーター６０Ｂと、第１のバッテリー及び第２のバッテリーとの並びが一致するため、ユーザは、第１のインジケーター６０Ａ又は第２のインジケーター６０Ｂの点灯から、第１のバッテリー又は第２のバッテリーの何れの充電が切れそうかを一目で確認できる。
【００３８】
（本開示のまとめ）
本開示の一態様に係る無線通信端末は、偏平の箱型の筐体（１０）と、筐体（１０）の正面（１１）に取り付けられたディスプレイ（１７）と、筐体の内部に形成された、筐体の背面（１２）からバッテリーが収容される第１のバッテリー収容空間（２４Ａ）及び第２のバッテリー収容空間（２４Ｂ）と、筐体の背面に取り付けられた、背面に対して垂直な光軸を有するカメラ（２１）、第１のバッテリー収容空間に収容されたバッテリーの状態を示す第１のインジケーター（６０Ａ）、及び、第２のバッテリー収容空間に収容されたバッテリーの状態を示す第２のインジケーター（６０Ｂ）と、を含み、第１のインジケーター及び第２のインジケーターの位置は、カメラの位置から所定距離以内の領域内である。一般的に、筐体に取り付けられるストラップはカメラを覆わない構成であるので、この構成によれば、第１のインジケーター及び第２のインジケーターがストラップによって覆われてしまうことを回避できる。
【００３９】
第１のインジケーター（６０Ａ）及び第２のインジケーター（６０Ｂ）は、カメラ（２１）が使用される間、消灯してよい。この構成によれば、第１のインジケーター（６０Ａ）又は第２のインジケーター（６０Ｂ）の発光がカメラの撮影画像に映り込んでしまうことを防止できる。
【００４０】
ディスプレイ（１７）の形状は、上端及び下端の辺が左端及び右端の辺よりも長い長方形であり、正面（１１）の下端とディスプレイの下端との間の領域である下方領域（１０１）の上下方向の幅は、正面の左端とディスプレイの左端との間の領域である左方領域（１０３）の左右方向の幅、及び、正面の右端とディスプレイの右端との間の領域である右方領域（１０４）の左右方向の幅の何れよりも広く、第１のバッテリー収容空間（２４Ａ）及び第２のバッテリー収容空間（２４Ｂ）の位置は、背面（１２）の下端と中心線（１０５）との間の領域である下半領域内であり、第１のバッテリー収容空間及び第２のバッテリー収容空間を包含する領域（２４）の中心点（１０８）の位置は、正面（１１）の中心点（１０６）を含みかつ左右方向に広がる幅２ｃｍの帯状領域（１０７）内であり、カメラ（２１）の位置は、正面の上端とディスプレイの上端との間の領域である上方領域（１０２）に対向する背面の領域内である。この構成によれば、無線通信端末の重量バランスが安定する。
【００４１】
第１のバッテリー収容空間（２４Ａ）の位置は、下半領域の左半分の領域内であり、第２のバッテリー収容空間（２４Ｂ）の位置は、下半領域の右半分の領域内であり、第１のインジケーター（６０Ａ）の位置は、第２のインジケーター（６０Ｂ）の位置の左側である。この構成によれば、第１のインジケーター及び第２のインジケーターと、第１のバッテリー収容空間内の第１のバッテリー及び第２のバッテリー収容空間内の第２のバッテリーとの並びが一致するので、ユーザは、第１のインジケーター又は第２のインジケーターの点灯から、第１のバッテリー又は第２のバッテリーの何れの電源が切れそうかを一目で確認できる。
【００４２】
以上、添付図面を参照しながら実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した実施の形態における各構成要素を任意に組み合わせてもよい。
【産業上の利用可能性】
【００４３】
本開示は、複数のバッテリーの各々の状態の表示を望む電子機器に有用である。
【符号の説明】
【００４４】
１  無線通信端末
１０  筐体
１１  正面
１２  背面
１３  左側面
１４  右側面
１５  上面
１６  底面
１７  タッチパネル
２１  カメラ
２２  第１のボタン
２３  第２のボタン
２４  バッテリー収容空間
２４Ａ  第１のバッテリー収容空間
２４Ｂ  第２のバッテリー収容空間
２５  端子口
２５Ａ  ＵＳＢ端子口
２５Ｂ  電源端子口
２５Ｃ  オーディオ端子口
６０Ａ  第１のインジケーター
６０Ｂ  第２のインジケーター
６１  フラッシュ
１０１  下方領域
１０２  上方領域
１０３  左方領域
１０４  右方領域
１０５  中心線
１０６  正面の中心点
１０７  帯状領域
１０８  バッテリー収容空間の中心点
【要約】
【課題】バッテリーの状態を示すインジケーターを無線通信端末の筐体の背面の適切な位置に設ける。
【解決手段】無線通信端末は、偏平の箱型の筐体と、前記筐体の正面に取り付けられたディスプレイと、前記筐体の内部に形成された、前記筐体の背面からバッテリーが収容される第１のバッテリー収容空間及び第２のバッテリー収容空間と、前記筐体の背面に取り付けられた、前記背面に対して垂直な光軸を有するカメラ、前記第１のバッテリー収容空間に収容されたバッテリーの状態を示す第１のインジケーター、及び、前記第２のバッテリー収容空間に収容されたバッテリーの状態を示す第２のインジケーターと、を含み、前記第１のインジケーター及び前記第２のインジケーターの位置は、前記カメラの位置から所定距離以内の領域内である。
【選択図】図３【図１】
0006709975.tif 000002
【図２】
0006709975.tif 000003
【図３】
0006709975.tif 000004
【図４】
0006709975.tif 000005
【図５】
0006709975.tif 000006
【図６】
0006709975.tif 000007
【図７】
0006709975.tif 000008